(57)【要約】【課題】  人検知センサの故障判定を誤ることなく行うことを可能とした、空気調和機を提供する。【解決手段】  空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを用いた人検知センサを有し、室内を複数の領域に区分して在室者の有無を推定する赤外線検知装置と、を備えた空気調和機において、前記人検知センサの信号を強制的に発生させる手段を備え、前記人検知センサの故障を判定する。【選択図】図１４
2010091158.tif 000002
【特許請求の範囲】
【請求項１】
空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを用いた人検知センサを有し、室内を複数の領域に区分して在室者の有無を推定する赤外線検知装置と、を備えた空気調和機において、前記人検知センサの信号を強制的に発生させる手段を備え、前記人検知センサの故障を判定する空気調和機。
【請求項２】
請求項１の空気調和機において、前記左右風向板又は前記上下風向板を、前記人検知センサの検知範囲内で揺動させることにより、前記人検知センサの検知範囲に人が存在しない場合と前記人検知センサの故障の場合の区別を行い、前記人検知センサの故障を判定する空気調和機。
【発明の詳細な説明】
【技術分野】
【０００１】
本発明は赤外線センサを搭載した空気調和機にかかり、特に、人検知機能の向上に関する。
【背景技術】
【０００２】
空気調和機は室内空気を熱交換器に循環させて、加熱，冷却，除湿機能などにより調整し、これを室内に吹出すことにより室内を空気調和する。このとき、在室者の位置に空気調和された気流を送ることができれば、在室者が一々煩わしい操作しなくてすみ、在室者の満足度が高まると共に、在室者の周囲のみを快適にするので空気調和機の省エネを図ることができる。
【０００３】
そのひとつとして、空気調和機に赤外線センサを搭載し、在室者の位置を検知し、在室者の位置に応じて風向，風量，冷房暖房能力などを増減する方法が考えられ、これを具現化するために種々の工夫が凝らされている。この種の従来技術として、特開平０６−２４１５２６号公報が知られている。
【０００４】
特許文献１は室内の輻射温度分布及び人に関する情報を検出するセンサの情報の異常の有無により前記センサの故障を判定することで、異常な空調制御を防止する空気調和機に付いて述べている。
【０００５】
【特許文献１】特開平０６−２４１５２６号公報
【発明の開示】
【発明が解決しようとする課題】
【０００６】
現在、家庭用の空気調和機は、環境への配慮が求められ、省資源，省エネを強く要求されるようになった。加えて、外観も重視され、特に使っていないときに室内の雰囲気を乱さない製品が求められている。
【０００７】
その技術は、多種な方法によって、実現されてきたが、赤外線センサの故障を識別する方法は確立されていない。
【０００８】
特許文献１では輻射温度分布及び人に関する情報を検出するセンサを使用していて、輻射温度分布が実際の温度範囲から極端にはずれた情報を検出した場合、故障であると判定している。しかし、人に関する情報の検出部分の故障の判定についての言及は無い。
【０００９】
このように、人検知センサの故障を判断する方法は明らかでなく、その技術の開発が求められている。
【００１０】
本発明が解決しようとする課題は、人検知センサの故障判定を誤ることなく行うことを可能とした、空気調和機を提供することにある。
【課題を解決するための手段】
【００１１】
本発明が解決しようとする課題は、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、焦電型赤外線センサを用いた人検知センサを有し、室内を複数の領域に区分して在室者の有無を推定する赤外線検知装置と、を備えた空気調和機において、前記人検知センサの信号を強制的に発生させる手段を備え、前記人検知センサの故障を判定することで達成される。
【００１２】
これは、在室者が居無い場合デジタル信号の演算制御部への入力がＨｉレベルに固定される事と、在室者が居る場合デジタル信号の入力がＨｉ・Ｌｏに変化する特徴をいかし、デジタル信号のレベルがある一定時間ＨｉレベルまたはＬｏレベルを検出しつづけた場合に、故障である可能性が高いが、在室者が居無い場合は、前述のようにＨｉレベル固定となってしまうため、誤判定してしまう可能性がでてくる。そこで、風向板を赤外線センサの検出範囲内で揺動させることにより、擬似的に人が居る状態を作り出し、赤外線センサにこの動きを検知させ、人検知センサに人の在否を判定させて、在室者が無い場合と人検知センサの故障の場合の区別を行う事で、本課題を解決した。
【００１３】
請求項２に記載の空気調和機は請求項１の空気調和機において、前記左右風向板又は前記上下風向板を、前記人検知センサの検知範囲内で揺動させることにより、前記人検知センサの検知範囲に人が存在しない場合と前記人検知センサの故障の場合の区別を行い、前記人検知センサの故障を判定するものである。
【発明の効果】
【００１４】
請求項１によれば、人検知センサの故障判定を誤ることなく行って、故障の場合は素早くメンテナンスをすることで、快適性を失うことなく、人の居る領域を推定して、在室者の状態に応じて、自動的に快適運転や省エネ運転する。
【００１５】
請求項２によれば、在室者の有無にかかわらず、人検知センサの故障判定を誤検出することなく行う、ため快適性を失うことなく、人の居る領域を区別して、在室者の状態に応じて、自動的に快適運転や省エネ運転する。
【発明を実施するための最良の形態】
【００１６】
以下、本発明の実施例について図を用いて説明する。図における同一符号は同一物または相当物を示す。
【実施例１】
【００１７】
まず、空気調和機の全体構成について図１〜図４を用いて説明する。図１は実施例の空気調和機の構成図である。図２は空気調和機の室内機の断面図である。図３は空気調和機の室外機の断面図である。図４は空気調和機の冷媒回路図、（ａ）は冷房・除湿運転時の冷媒の流れ方向、（ｂ）は暖房運転時の冷媒の流れ方向である。
【００１８】
空気調和機１は、室内機２と室外機６とを接続配管８で繋ぎ、室内を空気調和する。室内機２は、筐体ベース２１の中央部に室内熱交換器３３を置き、熱交換器３３の下流側に熱交換器３３の幅と略等しい長さの横流ファン方式の室内送風ファン３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調整された空気を吹出す空気吹出し口２９とが上下に設けられている。室内熱交換器３３の空気流下流には室内送風ファン３１１が設けられ、室内送風ファン３１１が回転すると室内空気が室内機２に設けられた空気吸込み口２７から室内熱交換器３３、室内送風ファン３１１を通って室内送風ファン３１１の長さに略等しい幅を持つ吹出し風路２９０に流れ、吹出し風路２９０途中に配した左右風向板２９５で気流の左右方向を偏向され、更に、吹出し口２９に配した上下風向板２９１，２９２で気流の上下方向を偏向されて室内に吹出す。
【００１９】
筐体ベース２１には、室内送風ファン３１１，フィルタ２３１，２３１′，室内熱交換器３３，露受皿３５，上下風向板２９１，２９２，左右風向板２９５等の基本的な内部構造体が取り付けられ、これらの基本的な内部構造体は、筐体ベース２１，化粧枠２３，前面パネル２５からなる筐体２０に内包され室内機２を構成する。
【００２０】
室外機６はベース６１に圧縮機７５，室外熱交換器７３などが搭載され、外箱６２に覆われ、室外送風機６３で外気を室外熱交換器７３に流し、内部を流れる冷媒と熱交換し、送風機カバー６３５を通って機外に吹出させる。
【００２１】
冷房・除湿運転時には図４（ａ）のように、冷媒を圧縮機７５，冷媒流路切換弁７２，室外熱交換器７３，冷暖房絞り装置７４，除湿加熱器３３２，除湿絞り装置３４，除湿冷却器３３３，冷媒流路切換弁７２の順に流して圧縮機７５に戻し、冷房・除湿運転にあわせて冷暖房絞り装置７４，除湿絞り装置３４を適宜に絞りまたは開放して冷媒を制御し、圧縮機７５，室外送風機６３，室内送風ファン３１１を適切な回転数で運転して周知の冷房・除湿運転を行う。
【００２２】
また、暖房運転時には図４（ｂ）のように、冷媒流路切換弁７２を切換えて、冷媒を逆向きに流し、同様に周知の暖房運転を行う。
【００２３】
また、前面パネル２５の下部一側には、運転状況を表示する表示装置３９７と、別体のリモコン５からの赤外線の操作信号を受ける受光部３９６とが配置されている。
【００２４】
化粧枠２３の下面に形成される空気吹出し口２９は、前面パネル２５との分割部に隣接して配置され、奥の吹出し風路２９０に連通している。２枚の上下風向板２９１，２９２は、閉鎖状態で、吹出し風路２９０をほぼ隠蔽して室内機２の底面に連続する大きな曲面を有するように構成されている。これらの上下風向板２９１，２９２は、両端部に設けた回動軸を支点にして、リモコン５からの指示に応じて、駆動モータにより空気調和機１の運転時に所要の角度回動して空気吹出し口２９を開き、その状態に保持する。空気調和機１の運転停止時には、これらの上下風向板２９１，２９２は空気吹出し口２９を閉じるように制御される。
【００２５】
左右風向板２９５は、下端部に設けた回動軸を支点にして駆動モータにより回動され、リモコン５からの指示の応じて回動されてその状態に保持される。これによって、吹出し空気が左右の所望の方向に吹出される。なお、リモコン５から指示することにより、空気調和機１の運転中に上下風向板２９１，２９２，左右風向板２９５を周期的に揺動させ、室内の広範囲に周期的に吹出し空気を送ることもできる。
【００２６】
可動パネル２５１は、下部に設けた回動軸を支点として駆動モータにより回動され、空気調和機１の運転時に前側空気吸込み部２３０′を開くように構成されている。これによって、室内空気は、運転時に前側空気吸込み部２３０′からも室内機２内に吸引される。空気調和機１の停止時には、前側空気吸込み部２３０′は閉じるように制御される。
【００２７】
室内機２は、内部の電装品ボックスに制御基板を備え、この制御基板にマイコンが設けられる。このマイコンは、室内温度センサ，室内湿度センサ等の各種のセンサからの信号を受けると共に、リモコン５からの操作信号を受光部３９６を介して受ける。このマイコンは、これらの信号に基づいて、室内送風ファン３１１，可動パネル駆動モータ，上下風向板駆動モータ，左右風向板駆動モータ等を制御すると共に、室外機６との通信を司り、室内機２を統括して制御する。
【００２８】
フィルタ２３１，２３１′は、吸い込まれた室内空気中に含まれる塵埃を取り除くためのものであり、室内熱交換器３３の吸込側を覆うように配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００２９】
次に、上下風向板について図５，図６を用いて説明する。図５は室内機の冷房・除湿運転時の断面図である。図６は室内機の暖房運転時の断面図である。
【００３０】
上下風向板は前述のように上側上下風向板２９１，下側上下風向板２９２から構成される。本明細書では主に上側上下風向板２９１について述べるので、単に上下風向板と記した場合は上側上下風向板を表し、下側上下風向板について述べる時は下側上下風向板と記すこととする。
【００３１】
上下風向板２９１は空気吹出し口２９の上部の横幅いっぱい設けられ、上下風向板駆動モータ（図示せず）により、吹出し空気を下吹出し、あるいは水平吹出しなどに偏向する。
【００３２】
空気調和機を使用しない運転停止時は図２のように、上側上下風向板２９１，下側上下風向板２９２，可動パネル２５１は制御装置により空気吹出し口２９を閉じるように制御される。これにより、上側上下風向板２９１は吹出し風路２９０の上方拡大部２９０ｅの前方の位置に回動し収納され、風路上方拡大部２９０ｅを遮蔽し、下側上下風向板２９２と協働して吹出し口２９を閉じる。
【００３３】
この風路上方拡大部２９０ｅのほぼ中央に後述する赤外線検知装置１４が設けられている。
【００３４】
このとき、上側上下風向板２９１は空気調和機の前面と底面の交差部に位置するため、外面となる外側風向面２９１ａは滑らかで曲率の大きい曲面にして空気調和機の外形に合致させる。このようにすることにより、上側上下風向板２９１，下側上下風向板２９２は外面となる風向面で空気調和機の前面から底面にかけての外形を連続的に滑らかに形成することができる。
【００３５】
このため、空気調和機を使用しないとき、空気調和機の目とも言うべき赤外線検知装置１４も上側上下風向板２９１によって目隠しされ、空気調和機の外観は不必要な凹凸の無い、柔らかな落ち着いた形状となり、室内の雰囲気を乱すことがない。
【００３６】
空気調和機を冷房運転する時には図５のように上側上下風向板２９１，下側上下風向板２９２は吹出し風路２９０の上壁２９０ａ，下壁２９０ｂと略平行な姿勢または水平な向きにして使用される。また、吹出された冷風が直接、在室者に当って不快感を生じさせる場合は、適宜、上下風向板の方向をリモコンで変更し、在室者の周囲を快適な温湿度に保つ。
【００３７】
極弱い冷房または暖房運転を行う時に上側上下風向板２９１を図２０のようにやや上向きにし、下側上下風向板２９２を破線で示したようにほぼ閉じる姿勢にし、吹出し風路２９０の下流に設けた上方に拡大する上方拡大部２９０ｅに吹出し気流を流す。これにより、吹出し空気の一部が極弱い風となって上方拡大部２９０ｅを通ってふんわりと室内に拡散し、微弱な冷房または暖房を行う。
【００３８】
更に、上方拡大部２９０ｅを利用して、吹出した風をすぐさま、吸込み口２７から吸込ませるショートサーキット運転を行うことで、熱交換器の乾燥運転や空気調和機内部の脱臭運転などの空気調和機のメンテナンス動作を行わせることも可能となる。
【００３９】
空気調和機を暖房運転する時には、上下風向板２９１，２９２は図６のようにほぼ垂直に近い姿勢にして使用される。このようにすることにより、吹出し風路２９０を流れる温風は空気調和機から下方に向かって吹出し、床面近くまで到達し、足もと近くを暖め、室内を快適な環境にする。
【００４０】
次に、本発明の空気調和機が搭載している赤外線センサについて図７〜図１４を用いて説明する。図７は室内機の外観斜視図である。図８は室内機の上下風向板を開いた外観斜視図である。図９は室内機に内蔵された赤外線検知装置の構成図である。図１０は検知装置のフレネルレンズ配置図である。図１１は検知装置の検知範囲図である。図１２は検知装置の外観図、（ａ）は平面図、（ｂ）は正面図、（ｃ）は側面図、（ｄ）は取付状態側面図である。図１３は検知装置による検知区域図である。図１４は検知装置の回路構成図である。
【００４１】
一般に、空気調和機に人検知装置を取り付ける場合、その主たる目的は在室者が居ない時に空気調和機を省エネ運転または、停止し、在室者が少ない時には、その少ない人に向けて風を送るなどの専用運転をして省エネを図ると共に人の移動に伴う煩わしい操作を回避することである。
【００４２】
これを実現するため、焦電型の赤外線センサなどを使用した人検知センサを複数個つけて、室内を複数の領域に区分し、在室者が空気調和機から見てどの位置に居るかを検知するようにしている。この場合、人検知センサの検知区域の間に非検知領域ができないように、人検知センサの検知区域が互いに重なるように設置することが行われている。
【００４３】
このとき、唯一の人検知センサが反応した場合は、その人検知センサの検知区域に人が居ることが判るが、検知区域が重複する複数の赤外線センサが反応した時には、重複領域に集中して人が居る場合と、互いの排他的領域に人が分散して居る場合と、重複領域と片方の排他的領域に人が分散して居る場合と、重複領域と双方の排他的領域に人が分散して居る場合とが考えられ、これらの領域を区別するため、センサの数を増やすことや他の方式のセンサを取り付けて、互いの能力不足部分を補完することが行われている。
【００４４】
実施例では図８のように赤外線検知装置１４を前述の吹出し風路上方拡大部２９０ｅの長手方向の中央部に設け、運転停止時には図７のように上側上下風向板２９１で室内から遮蔽され、室内に違和感を与えないようにした。
【００４５】
赤外線検知装置１４は、図９に示すように赤外線センサ４１０を台座４１５を介して、基板４１６に搭載しフレネルレンズ４１７を被せ、これを左右に配して図１２のように構成する。
【００４６】
赤外線センサ４１０は平滑な受光面４１１を持ち、受光面４１１の対抗する方向が主検知方向となり、受光面４１１の中心から主検知方向に向かう中心軸４１２は検知感度が最も良好な方向となり、その周りに検知感度の良好な検知範囲が広がる。
【００４７】
左右の赤外線センサ４１０ａ，ｃは各前記台座４１５により、中心軸４１２の方向が異なるように搭載され、当然その主検知方向も異なるため、図１１のように広角に検知範囲を構成でき、さらに赤外線検知装置１４を図１２（ｄ）のように俯角をもって実装することにより、室内床面の大半をその視野内に収めることができる。
【００４８】
フレネルレンズ４１７は図１０に示すように半球面を成す如く成型され、半球面は複数のセグメントに分割され、各セグメントには室内の特定の方向から来る赤外線を半球面の中心部に集めるように小フレネルレンズが形成されていて、この半球面の中心部に赤外線センサ４１０の受光面４１１が配置されるように構成されている。
【００４９】
この小フレネルレンズが赤外線を集光する方向を、座った時の顔の高さ付近の床と平行な面で示すと図１３のような検知スポットの分布になり、この範囲を人が移動していくつかの検知スポットを出入りすると赤外線センサ４１０がこれを検知する。実施例では、家庭の室内で使われることを想定し、赤外線センサ４１０から６ｍ離れた位置でのひとつの検知スポットの大きさが凡そ人体の大きさと同等（幅０.３〜０.５ｍ，高さ１.６〜１.８ｍ）になるように設定した。
【００５０】
実施例では赤外線センサ４１０として、焦電型の赤外線センサを用いる。赤外線検知装置１４は図１４に示すように左人検知センサ１４０ａと右人検知センサ１４０ｃと演算制御部１３２からなり、左右の人検知センサ１４０ａ，ｃは赤外線センサ４１０ａ，ｃ，赤外線センサ４１０ａ，ｃの出力を増幅する増幅器１３０，その出力をデジタル信号へと変換するコンパレータ１３１や前述の台座４１５，フレネルレンズ４１７などから構成されている。
【００５１】
一般に、人が覚醒している時には、生理的に静止し続けることはできず、数分の中で意識的にあるいは無意識のうちに手，脚，顔など体の一部を動かしている。
【００５２】
赤外線センサ４１０ａ，ｃはこの動きを検知し、信号を出力する。赤外線センサ４１０ａ，ｃからの出力は人検知センサ１４０で演算制御部１３２での処理に適した形態に変換されて演算制御部１３２に読み込まれ、演算処理の結果に応じて、空気調和機の能力，風向などの制御が行われる。
【００５３】
上記のように、赤外線検知装置１４を構成すれば、前記焦電型赤外線センサ４１０ａ，ｃから環境や人体の存在、人体の活動に伴ったアナログ信号が出力され、前記増幅器１３０にて増幅し、前記コンパレータ１３１により、微小な信号やノイズを除去し、またデジタル信号に変換し、前記演算制御部１３２の読み込みポートに入力され、前記演算制御部１３２で演算処理される。その結果により、人体が存在すると判断した領域に対し、前記上下風向板２９１，２９２，左右風向板２９５を向け、或いは、避けて室内送風ファン３１１によって、調和された空気が送風される。
【００５４】
次に、室内の人の移動による赤外線センサ４１０からの信号の変化について図１５〜図１７を用いて説明する。図１５は室内に人が入室する時の動きを示す図である。図１６は図１５の場合の赤外線検知装置の波形出力、（ａ）は左赤外線センサ出力のアナログ波形、（ｂ）は左人検知センサ出力のデジタル波形、（ｃ）は右赤外線センサ出力のアナログ波形、（ｄ）は右人検知センサ出力のデジタル波形である。図１７は検知装置の検知領域区分図である。
【００５５】
図１５に示すように、室９０２に人９０７が位置Ｐから入室し、位置Ｑ，Ｒを経て位置Ｓまで移動したとき、赤外線検知装置１４の赤外線センサ４１０ａは図１６（ａ）のようなアナログ信号を出力する。このアナログ出力の絶対値が一定のレベルを越えた時に、活動パルス（実施例ではＬｏパルス）を出力するように、このアナログ出力を増幅器１３０，コンパレータ１３１などで処理して、図１６（ｂ）のようなデジタル波形に変換し演算制御部１３２に入力する。演算制御部１３２内部でこのデジタル波形を一定周期で読込み、活動パルスが検出された回数を計数する。所定時間の間の検出回数が、人有りとする在閾値以上の時に、例えば位置Ｑ，Ｒに人が居る時に、演算制御部１３２は左人検知センサ１４０ａが人を検知した判断する。同様に赤外線センサ４１０ｃ，右人検知センサ１４０ｃも図１６（ｃ），（ｄ）のように信号を出力し、同様に、例えば位置Ｒ，Ｓに人が居る時に、演算制御部１３２は右人検知センサ１４０ｃが人を検知した判断する。
【００５６】
このように、在室者が居ない時には、デジタル出力はＨｉに固定されて出力し続け、人検知センサ１４０ａ，ｃの検知領域内で人が活動すると前述の検知スポットに出入りする度に、赤外線センサ４１０ａ，ｃから正負のアナログ信号が出力され、人検知センサ１４０ａ，ｃから、Ｈｉ，Ｌｏが入り混じったデジタル信号が出力される。
【００５７】
上記の説明では、あたかも、人が移動する瞬間毎に人有りの判断が下されるように書いたが、実施例では所定時間を３０秒にしてあるので、入室と移動の間のほんの数秒の反応だけでは人有りの判断は下されなく、人が移動をやめてからの自然な動きを感知しての反応が大勢を決することになる。このように、所定時間を適切に選ぶことにより、単に通過するだけの時に、人有りと判断し、不要な制御をする恐れを大幅に減らすことができる。また、赤外線センサ４１０を２個使用することで、検知区域を左人検知センサ１４０ａだけが検知する領域、右人検知センサ１４０ｃだけが検知する領域、左右の人検知センサ１４０ａ，ｃが検知する領域の３つに区分することができる。
【００５８】
なお、実施例では活動パルスをＬｏパルスにしているが、逆に、室内に人が不在の時の人検知センサ１４０の出力をＬｏにし、人が活動したときの出力をＨｉにして、Ｈｉの活動パルスの検出回数を計数するようにしても良いのは勿論のことである。
【００５９】
赤外線検知装置１４を室内機２に取り付け、この検知区域を簡単のため、床面の高さまで下げて図１７のように表し、上述のように室内を左右の人検知センサ１４０ａ，ｃが単独で検知する検知領域６１０Ａ，Ｃ，左右の人検知センサ１４０ａ，ｃが重複して検知する検知領域６１０ＡＣに区分する。
【００６０】
左人検知センサ１４０ａのみが検知した場合は、検知領域６１０Ａに人体が存在し、右人検知センサ１４０ｃのみが検知した場合は、検知領域６１０Ｃに人体が存在し、左人検知センサ１４０ａと右人検知センサ１４０ｃの両方が検知した場合は、検知領域６１０ＡＣ又は検知領域６１０Ａと検知領域６１０Ｃに人体が存在していると推定する。
【００６１】
ここで、領域の構成について図１８を用いて説明する。図１８は領域の説明図、（ａ）はＡとＣの和の領域、（ｂ）はＡとＣの排他和の領域、（ｃ）はＡからＣを除外した差の領域、（ｄ）はＣからＡを除外した差の領域、（ｅ）はＡとＣの積の領域である。
【００６２】
実施例では人検知センサ１４０の出力から人が居ると推定する領域を、左右の人検知センサ１４０ａ，ｃの検知区域の和，排他和，差、又は積で構成する。図１８（ａ）のように左人検知センサ１４０ａの検知区域Ａを記号Ａで、右人検知センサ１４０ｃの検知区域Ｃを記号Ｃで示すとき、区域Ａと区域Ｃの和を図１８（ａ）の斜線部、区域Ａと区域Ｃの排他和を図１８（ｂ）の斜線部、区域Ａと区域Ｃの差を図１８（ｃ）の斜線部、区域Ｃと区域Ａの差を図１８（ｄ）の斜線部、区域Ａと区域Ｃの積を図１８（ｅ）の斜線部と定義する。このような定義は群論から容易に類推でき、理解しやすい。
【００６３】
次に、上下風向板による垂直方向の室内領域の区分について図１９〜図２２を用いて説明する。図１９は上下風向板で検知領域を区分する説明図である。図２０は上下風向板による遠領域検知状態図である。図２１は上下風向板による中領域検知状態図である。図２２は上下風向板による近領域検知状態図である。
【００６４】
実施例では、前述の空気調和機の左右方向の室内の検知領域の区分に加えて、空気調和機の奥行き方向の室内についても上下風向板２９１を用いて検知領域を区分する。上側上下風向板２９１は前述のように、吹出し風路２９０の下流に設けた、上方に拡大する上方拡大部２９０ｅに吹出し気流を導く作用を有している。在室者の有無を検知するときに、この上側上下風向板２９１を、赤外線センサ４１０の視野を部分的に遮るような位置に回動させて停める。上側上下風向板２９１を停止させる位置は図１９に示すごとく、上側上下風向板２９１の図象の先端に付けた符号ｉ，ｊ，ｋ，ｍの位置でこれらの位置を夫々上側上下風向板位置４９１ｉ，ｊ，ｋ，ｍのごとくに呼ぶ。
【００６５】
上側上下風向板位置４９１ｉでは赤外線センサ４１０の全視野が上側上下風向板２９１に隠され、在室者の有無を検知することはできない。上側上下風向板位置４９１ｊでは赤外線センサ４１０の視野のうち、検知範囲５９１ｊのみが検知可能であり、上側上下風向板位置４９１ｋでは検知範囲５９１ｋのみが検知可能となる。上側上下風向板位置４９１ｍでは検知範囲５９１ｍ＝全視野が検知可能となる。
【００６６】
上側上下風向板２９１を使用して在室者の位置を検知しようとする場合は、まず、図２０のように上側上下風向板２９１を上側上下風向板位置４９１ｊで停止させ、赤外線センサ４１０で在室者の有無を検知する。このとき在室者が検知されると、在室者は検知範囲５９１ｊに居ることが判る。
【００６７】
次に、図２１のように上側上下風向板２９１を上側上下風向板位置４９１ｋで停止させ、赤外線センサ４１０で在室者の有無を検知する。このとき在室者が検知されると、在室者は検知範囲５９１ｊを含む検知範囲５９１ｋに居ることが判る。更に、先の検知動作で検知範囲５９１ｊに人が検知されなかった場合は検知範囲５９１ｋから検知範囲５９１ｊを除外した範囲に人が居ると判る。
【００６８】
次に、図２２のように上側上下風向板２９１を上側上下風向板位置４９１ｍで停止させ、赤外線センサ４１０で在室者の有無を検知する。このとき在室者が検知されると、在室者は検知範囲５９１ｋを含む検知範囲５９１ｍに居ることが判る。更に、先の検知動作で検知範囲５９１ｋに人が検知されなかった場合は検知範囲５９１ｍから検知範囲５９１ｋを除外した範囲に人が居ると判る。
【００６９】
次に、人検知センサ１４０で検知した在室者の有無から、奥行き方向の存在エリアを推定する方法について図２３〜図２５を用いて説明する。図２３は鉛直面で見た上下風向板による遠近方向の検知領域区分図である。図２４は上下風向板による床面の検知領域区分図である。図２５は左右の赤外線センサと上下風向板による検知領域区分図である。
【００７０】
前述の３つの検知動作によって得られた結果を、空気調和機から見て室内の奥行き方向の区分に対応させると、図２３のように、上側上下風向板２９１を上側上下風向板位置４９１ｊで停止させて在室者の有無を検知する場合は、人検知センサ１４０の視野が検知範囲５９１ｊに限られるので、検知領域６９１Ｊの在室者を検知することになる。
【００７１】
また、上側上下風向板２９１を上側上下風向板位置４９１ｋで停止させて在室者の有無を検知する場合は、人検知センサ１４０の視野が検知範囲５９１ｋに広がるので、検知領域６９１Ｊ，Ｋの在室者を検知することになる。
【００７２】
更に、上側上下風向板２９１を上側上下風向板位置４９１ｍで停止させて在室者の有無を検知する場合は、人検知センサ１４０の視野がまったく遮られず、検知範囲５９１ｍに広がるので、全ての検知領域６９１Ｊ，Ｋ，Ｍの在室者を検知することになる。
【００７３】
上記の検知領域を床面での広がりで見ると図２４のようになり、室内の奥行き方向に検知領域を区分することができる。
【００７４】
このように、前述の図１１に示した複数の人検知センサ１４０ａ，ｃを用いて室内を左右方向に区分し、上側上下風向板２９１を用いて室内を前後方向に区分することにより、図２５に示すように室内を前後左右に交差検知エリア７１０ＪＡ〜ＭＣの９領域に区分し、在室者の居る方向とその奥行き範囲を知ることができ、これを用いて、空気調和機を適切に制御することができる。
【００７５】
なお、上述の説明では説明を簡単にするため、検知領域の境界を検知範囲の境界が床面に達する位置に置いたが、実際に、人検知センサ１４０が検知しやすい人の顔，首筋の位置や、人が立上がっているのか、椅子に座っているのか、床に座っているのか、寝ているのかなどの違いにより、検知領域の境界線は厳密には求められない。しかし、大まかには人が室内の遠いところに居る、中位のところに居る、近くに居る、のような区分けは十分可能であり、空気調和機の空気調和範囲も目的とした場所を中心とした広がりを持つので前述のような区分けに応じた空気調和でも十分な効果を持つことができる。
【００７６】
このようにして、人の在否と在領域を推定し、その領域に風を向け又は避けて、自動的に快適運転や省エネ運転する。
【００７７】
しかし、この人検知センサが故障して働かなくなると、前述のように、デジタル出力がＨｉまたはＬｏに固定されて連続して出力される。また、人検知センサ１４０ａ，ｃが正常な場合でも、在室者が居ない時にはデジタル出力は連続してＨｉになり、人検知センサ１４０ａ，ｃが正常であるか、故障しているかの区別が付かない。
【００７８】
本発明は、このような時でも、人検知センサ１４０ａ，ｃが正常か、否かを簡単に区別する方法を提供するものである。
【００７９】
以下、本発明について説明する。人検知センサは、図１４の演算制御部１３２において通常人の出入りがある図１５に示すような部屋では、図１６の（ｂ）（ｄ）に示すようなＨｉやＬｏが交互にあるデジタル波形を出力するはずであるが、故障の場合は、ＨｉまたはＬｏに固定された連続出力になってしまう。コネクタ未接続の場合も同様にＨｉに固定となってしまう。
【００８０】
そこで、図１４の演算制御部１３２において、ある一定時間ＨｉまたＬｏを連続して検出した場合に、人検知センサ１４０ａ，ｃの故障か否かの判定を行う。このとき、人が不在の場合でも赤外線センサ４１０ａ，ｃの出力がなくなるため、人検知センサ１４０ａ，ｃの出力はＨｉレベルが一定時間以上連続する事が起こるので、人検知センサ１４０ａ，ｃが正常なのか異常なのかの区別が付かない。そこで、人が存在する場合と故障の場合との区別を行うために、人が居る場合、居ない場合と同じような反応を起こすように、上側上下風向板２９１を人検知センサ１４０ａ，ｃの前で揺動及び遮蔽の位置で停止させる。これにより、人検知センサ１４０ａ，ｃが擬似的に反応し、その結果から、人検知センサ１４０ａ，ｃが正常なのか、故障なのかを区別することができる。なお、人検知センサ１４０ａ，ｃがＬｏを一定時間連続して出力する時は、在室者が如何に多くても、前述のように、人検知センサ１４０ａ，ｃが正常であればＨｉ，Ｌｏの入り混じった信号になるので、Ｌｏの連続状態は人検知センサ１４０ａ，ｃの故障であると容易に判断できる。このように、人検知センサ１４０ａ，ｃの故障を検出し、誤検出を避けることで、空気調和機の適切な制御を実現できる。
【００８１】
このように、人検知センサ１４０ａ，ｃの故障をいち早く検出し、メンテナンスすることで、人検知センサ１４０ａ，ｃが常に正常に動作し、空気調和機が設置環境や使用者の意向に応じて適切に制御され、省エネ又は、満足感の高い空気調和機となる。
【００８２】
また、人検知センサの入力がある一定時間の間、固定されていることを確認し、人検知センサの故障判定を行う。
【００８３】
これにより、ある一定時間の間にセンサの故障判定を行うので、長時間故障のまま製品が使用されること無くし、快適性を失うことなく、人の居る領域を区別して、在室者の状態に応じて、自動的に快適運転や省エネ運転する。
【００８４】
以上のように、請求項１記載の空気調和機によれば、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを用いた人検知センサを有し、室内を複数の領域に区分して在室者の有無を推定する赤外線検知装置と、を備えた空気調和機において、前記人検知センサの信号を強制的に発生させる手段を備え、前記人検知センサの故障を判定する。
【００８５】
これにより、赤外線センサの検知区域に擬似的に人が居る状態と人の居ない状態を作り出し、その時の人検知センサの出力と比較することで人検知センサの故障の有無を明らかにすることができる。
【００８６】
このため、人検知センサの故障判定を誤り無く行って、故障の場合は素早くメンテナンスをすることで、快適性を失うことなく、人の居る領域を推定して、在室者の状態に応じて、自動的に快適運転や省エネ運転する空気調和機を提供することができる。
【００８７】
また、請求項２記載の空気調和機によれば、請求項１の空気調和機において、前記左右風向板又は前記上下風向板を、前記人検知センサの検知範囲内で揺動させることにより、前記人検知センサの検知範囲に人が存在しない場合と前記人検知センサの故障の場合の区別を行い、前記人検知センサの故障を判定する。
【００８８】
これにより、すでに備わっている上下風向板の回動で人検知センサの良否が容易に確認でき、生産コストを増加させること無く、人検知センサの故障判定を行え、直ちに、メンテナンスすることで、備わった機能をフルに発揮でき、使用者の満足感を満たすことができる。
【００８９】
このため、在室者の有無にかかわらず、人検知センサの故障判定を誤検出することなく行うので快適性を失うことなく、人の居る領域を区別して、在室者の状態に応じて、自動的に快適運転や省エネ運転する空気調和機を提供することができる。
【図面の簡単な説明】
【００９０】
【図１】実施例の空気調和機の構成図。
【図２】同空気調和機の室内機の断面図。
【図３】同空気調和機の室外機の断面図。
【図４】同空気調和機の冷媒回路図。
【図５】同室内機の冷房・除湿運転時の断面図。
【図６】同室内機の暖房運転時の断面図。
【図７】同室内機の外観斜視図。
【図８】同室内機の上下風向板を開いた外観斜視図。
【図９】同室内機に内蔵された赤外線検知装置の構成図。
【図１０】同検知装置のフレネルレンズ配置図。
【図１１】同検知装置の検知範囲図。
【図１２】同検知装置の外観図。
【図１３】同検知装置による検知区域図。
【図１４】同検知装置の回路構成図。
【図１５】室内に人が入室する時の動きを示す図。
【図１６】図１５の場合の赤外線検知装置の波形出力。
【図１７】同検知装置の検知領域区分図。
【図１８】領域の説明図。
【図１９】同上下風向板で検知領域を区分する説明図。
【図２０】同上下風向板による遠領域検知状態図。
【図２１】同上下風向板による中領域検知状態図。
【図２２】同上下風向板による近領域検知状態図。
【図２３】鉛直面で見た上下風向板による遠近方向の検知領域区分図。
【図２４】同上下風向板による床面の検知領域区分図。
【図２５】左右の赤外線センサと上下風向板による検知領域区分図。
【符号の説明】
【００９１】
１  空気調和機
２  室内機
５  リモコン
６  室外機
８  接続配管
１０  制御装置
１４  赤外線検知装置
２０  筐体
２１  筐体ベース
２３  化粧枠
２５  前面パネル
２７  空気吸込み口
２９  空気吹出し口
３３  室内熱交換器
３４  除湿絞り装置
３５  露受皿
３７  ドレン配管
６１  ベース
６２  外箱
６３  室外送風機
７２  冷媒流路切換弁
７３  室外熱交換器
７４  冷暖房絞り装置
７５  圧縮機
１３０  増幅器
１３１  コンパレータ
１３２  演算制御部
１４０  人検知センサ
１４０ａ  左人検知センサ
１４０ｃ  右人検知センサ
１９０  上下風向板制御部
１９１  上側上下風向板モータ
１９２  下側上下風向板モータ
１９４  左右風向板制御部
１９５  左右風向板モータ
２３０，２３０′  空気吸込み部
２３１，２３１′  フィルタ
２５１  可動パネル
２９０  吹出し風路
２９０ａ  吹出し風路上壁
２９０ｂ  吹出し風路下壁
２９０ｅ  吹出し風路上方拡大部
２９１  上側上下風向板
２９２  下側上下風向板
２９５  左右風向板
３１１  室内送風ファン
３３２  除湿加熱器
３３３  除湿冷却器
３９６  受光部
３９７  表示装置
４１０  赤外線センサ
４１０ａ〜ｃ  赤外線センサａ〜ｃ
４１１  受光面
４１２  中心軸
４１５  台座
４１６  基板
４１７  フレネルレンズ
４９１ｉ〜ｍ  上側上下風向板位置ｉ〜ｍ
５１０ａ〜ｃ  検知範囲ａ〜ｃ
５９１ｊ〜ｍ  検知範囲ｊ〜ｍ
６１０Ａ  検知領域Ａ
６１０ＡＣ  検知領域ＡＣ
６１０Ｃ  検知領域Ｃ
６３５  送風機カバー
６９１Ｊ〜Ｍ  検知領域Ｊ〜Ｍ
７１０ＪＡ〜ＭＣ  交差検知領域ＪＡ〜ＭＣ
９０２  室
９０７  人
Ａ〜Ｃ  領域Ａ〜Ｃ
Ｐ〜Ｓ  人位置Ｐ〜Ｓ
【図１】
2010091158.tif 000003
【図２】
2010091158.tif 000004
【図３】
2010091158.tif 000005
【図４】
2010091158.tif 000006
【図５】
2010091158.tif 000007
【図６】
2010091158.tif 000008
【図７】
2010091158.tif 000009
【図８】
2010091158.tif 000010
【図９】
2010091158.tif 000011
【図１０】
2010091158.tif 000012
【図１１】
2010091158.tif 000013
【図１２】
2010091158.tif 000014
【図１３】
2010091158.tif 000015
【図１４】
2010091158.tif 000016
【図１５】
2010091158.tif 000017
【図１６】
2010091158.tif 000018
【図１７】
2010091158.tif 000019
【図１８】
2010091158.tif 000020
【図１９】
2010091158.tif 000021
【図２０】
2010091158.tif 000022
【図２１】
2010091158.tif 000023
【図２２】
2010091158.tif 000024
【図２３】
2010091158.tif 000025
【図２４】
2010091158.tif 000026
【図２５】
2010091158.tif 000027